(57)【特許請求の範囲】
【請求項１】
設定を修正するための無線装置（２０８）により実行される方法であって、前記無線装置（２０８）は無線通信ネットワーク（２００）において動作し、前記方法は、
第１のアイデンティティに関連付けられ、前記無線装置（２０８）に記憶されている設定の１つ以上のパラメータに関連する差異を含む再設定メッセージを受信すること（６０２）と、
前記差異に基づいて、前記記憶された設定の前記１つ以上のパラメータを修正すること（６０３）と、ここで、修正により結果の設定がもたらされ、
前記結果の設定を第２のアイデンティティと共に記憶すること（６０４）、
を含む、方法。
【請求項２】
前記記憶された設定は、前記無線装置（２０８）により使用されている設定である、請求項１に記載の方法。
【請求項３】
前記再設定メッセージを受信すること（６０２）は、
前記無線通信ネットワーク（２００）において動作しているネットワークノード（２０４）から、前記再設定メッセージを受信することを含む、請求項１または２に記載の方法。
【請求項４】
前記差異は、結果のパラメータ値と入力のパラメータ値との間の差異である、請求項１から３のいずれか１項に記載の方法。
【請求項５】
前記修正すること（６０３）は、
前記記憶された設定の１つ以上のパラメータを非アクティブにすることを含む、請求項１から４のいずれか１項に記載の方法。
【請求項６】
前記修正すること（６０３）は、
前記差異が関連するパラメータのみを修正する、請求項１から５のいずれか１項に記載の方法。
【請求項７】
前記差異は更に、１つ以上の更に記憶された設定の１つ以上のパラメータに関連する、請求項１から６のいずれか１項に記載の方法。
【請求項８】
前記修正すること（６０３）は、
前記差異に基づいて、前記１つ以上の更に記憶された設定の１つ以上のパラメータを修正することを更に含む、請求項７に記載の方法。
【請求項９】
前記第２のアイデンティティは、前記第１のアイデンティティまたは新しいアイデンティティである、請求項１から８のいずれか１項に記載の方法。
【請求項１０】
ネットワークノード（２０４）から設定パラメータのセットを受信すること（６０１）を更に含む、請求項１から９のいずれか１項に記載の方法。
【請求項１１】
設定パラメータの前記セットは、前記無線装置（２０８）により記憶される１つ以上の設定に関連し、各設定は、アイデンティティに関連付けられる、請求項１０に記載の方法。
【請求項１２】
前記再設定メッセージは更に、前記修正の完了の後に前記無線装置（２０８）により使用される設定に関連付けられたターゲットのアイデンティティを含み、前記方法は、
前記修正の完了の後に前記ターゲットのアイデンティティに関連付けられた前記設定を使用すること（６０６）を更に含む、請求項１から１１のいずれか１項に記載の方法。
【請求項１３】
設定を修正するための無線装置（２０８）であって、前記無線装置（２０８）は無線通信ネットワーク（２００）において動作することが可能であり、前記無線装置（２０８）は、
第１のアイデンティティに関連付けられ、前記無線装置（２０８）に記憶されている設定の１つ以上のパラメータに関連する差異を含む再設定メッセージを受信し、
前記差異に基づいて、前記記憶された設定の前記１つ以上のパラメータを修正し、ここで、修正により結果の設定がもたらされ、
前記結果の設定を第２のアイデンティティと共に記憶する、
ように構成される、無線装置（２０８）。
【請求項１４】
前記記憶された設定は、前記無線装置（２０８）により使用されている設定である、請求項１３に記載の無線装置（２０８）。
【請求項１５】
前記無線装置（２０８）は更に、前記無線通信ネットワーク（２００）において動作するネットワークノード（２０４）から前記再設定メッセージを受信するように構成される、請求項１３または１４に記載の無線装置（２０８）。
【請求項１６】
前記差異は、結果のパラメータ値と入力のパラメータ値との間の差異である、請求項１３または１４に記載の無線装置（２０８）。
【請求項１７】
前記無線装置（２０８）は、前記差異に基づいて、前記記憶された設定を、前記記憶された設定の１つ以上のパラメータを非アクティブにすることにより修正するように更に構成される、請求項１３から１６のいずれか１項に記載の無線装置（２０８）。
【請求項１８】
前記無線装置（２０８）は、前記差異が関連するパラメータだけを修正するように構成される、請求項１３から１７のいずれか１項に記載の無線装置（２０８）。
【請求項１９】
前記差異は更に、１つ以上の更に記憶された設定の１つ以上のパラメータに関連する、請求項１３から１８のいずれか１項に記載の無線装置（２０８）。
【請求項２０】
前記無線装置（２０８）は更に、前記差異に基づいて、前記１つ以上の更に記憶された設定の１つ以上のパラメータを修正するように更に構成される、請求項１９に記載の無線装置（２０８）。 
【請求項２１】
前記第２のアイデンティティは、前記第１のアイデンティティまたは新しいアイデンティティである、請求項１３から２０のいずれか１項に記載の無線装置（２０８）。
【請求項２２】
前記無線装置（２０８）は、ネットワークノード（２０４）から設定のパラメータのセットを受信するように構成される、請求項１３から２１のいずれか１項に記載の無線装置（２０８）。
【請求項２３】
設定のパラメータの前記セットは、無線装置（２０８）により記憶される１つ以上の設定に関連し、各設定は、アイデンティティに関連付けられる、請求項２２に記載の無線装置（２０８）。
【請求項２４】
前記再設定メッセージは更に、前記修正の完了の後に、前記無線装置（２０８）により使用される設定に関連付けられたターゲットのアイデンティティを含み、前記無線装置（２０８）は、前記修正の完了の後の前記ターゲットのアイデンティティに関連付けられた前記設定を使用するように構成される、請求項１３から２３のいずれか１項に記載の無線装置（２０８）。
【請求項２５】
コンピュータプログラムであって、少なくとも一つのプロセッサにおいて実行される場合に、請求項１から１２のいずれか１項に記載の方法を前記少なくとも一つのプロセッサに実行させる命令を含むことを特徴とするコンピュータプログラム。
【発明の詳細な説明】
【技術分野】
【０００１】
本実施形態は、一般的には、無線装置、ネットワークノード、および、それらにおける方法に関する。詳細には、設定を修正することに関する。
【背景技術】
【０００２】
無線装置と端末などの通信装置は、ユーザ装置（ＵＥ）、移動端末、ステーション（ＳＴＡ）、無線端末、および／または移動局等としても知られる。端末は、ときにセルラ無線システムまたはセルラネットワークとも参照される無線通信ネットワークまたはセルラ通信システムにおいて無線で通信することが可能である。通信は、例えば、無線アクセスネットワーク（ＲＡＮ）と一つ以上のコアネットワークを介して、セルラ通信ネットワーク内の２つの端末間、端末と一般の電話間、および／または端末とサーバ間で実施され得る。
【０００３】
端末は更に、更なる例を挙げると、移動電話、セルラ電話、ラップトップ、または無線機能を有するサーフプレートとも参照される。本文脈における端末は、例えば、ポータブル、ポケットに格納可能、ハンドヘルド、コンピュータ内蔵、または、車両に搭載された移動機器であり、別の端末やサーバ等の別のエンティティとのＲＡＮを介した音声および／またはデータの通信が可能である。
【０００４】
セルラ通信ネットワークは、セルエリアに分割される地理的なエリアをカバーし、各セルエリアは、ときに使用される技術と用語により、「ｅＮＢ」、「ｅＮｏｄｅＢ」、「ＮｏｄｅＢ」、「Ｂ  ｎｏｄｅ」、またはＢＴＳ（Ｂａｓｅ  Ｔｒａｎｃｅｉｖｅｒ  Ｓｔａｔｉｏｎ）と参照され得る無線基地局（ＲＢＳ）等の基地局といったアクセスノードによりサービスが提供される。基地局は、送信電力、機能的能力、および、それによるセルサイズにも基づいて、マクロｅＮｏｄｅＢ、ホームｅＮｏｄｅＢ、またはピコ基地局といった異なるクラスのものであり得る。セルは、地理的なエリアであり、無線カバレッジは、基地局のサイトにおける基地局により提供される。基地局サイトに位置する一つの基地局は、一つまたはいくつかのセルをサービスし得る。さらに、各基地局は、一つまたはいくつかの通信技術をサポートし得る。基地局は、当該基地局の範囲内で、端末と無線周波数上で運用するエアインタフェースを介して通信を行う。本開示の文脈では、基地局から移動局への送信パスに対してダウンリンク（ＤＬ）という表現が使用される。反対の方向、すなわち、移動局から基地局への送信パスに対してアップリンク（ＵＬ）という表現が使用される。
【０００５】
第３世代パートナーシッププロジェクト（３ＧＰＰ）のロングタームエヴォリューション（ＬＴＥ）において、ｅＮｏｄｅＢまたはｅＮＢとしても参照され得る基地局は、１つ以上のコアネットワークに直接接続され得る。
【０００６】
３ＧＰＰ  ＬＴＥの無線アクセスの規格は、アップリンクとダウンリンクの両トラフィックに対して高ビットレートで低遅延をサポートするために記述されている。全てのデータ伝送は、無線基地局によりＬＴＥにおいて制御される。
【０００７】
ＲＲＣプロトコルは、ＵＥとユニバーサル地上無線アクセスネットワーク（ＵＴＲＡＮ）の間の無線リソース制御（ＲＲＣ）のメンテナンスとリリース、並びに、無線ベアラ（ＲＢｓ）とシグナリング無線ベアラ（ＳＲＢｓ）の確立、再設定およびリリースを担う。
【０００８】
ＵＴＲＡＮは、ユニバーサルモバイルテレコミュニケーションシステム（ＵＭＴＳ）を作り出す基地局と無線ネットワークコントローラ（ＲＮＣ）に対する総称である。
【０００９】
例えばＲＢのセットアップ、ＲＢのリリース、ＲＢの再設定等の異なるＲＲＣ手順が、「ソースの設定」から「ターゲットの設定」のＵＥにおける、無線アクセスベアラ（ＲＡＢ）、ＲＢ／ＳＲＢ、トランスポートチャネル、物理チャネル、のパラメータを再設定するために使用される。再設定は、典型的には、データの送信等のデータアクティビティ、および／または存在する無線ベアラのインアクティビティ、または、新しい無線ベアラのセットアップおよび／またはリリース、によりトリガされる。
【００１０】
例えば少量のデータの送信において、同じアクションが複数回繰り返される場合、ＵＥは、典型的には、設定の限定されたセット間を切り換える（例えばスイッチする）。典型的には、ＵＴＲＡＮは、各遷移に対して、新しいターゲットの設定をシグナリングする必要がある。
【００１１】
新しいターゲットの設定をＵＥにシグナリングするための以下の方法は、従来技術により現在既知なものである。
【００１２】
完全な設定：ターゲットの設定を特定する上記のパラメータのフルセット、または、ソースの設定とターゲットの設定の間のデルタ（例えば差異）を表すパラメータのサブセットが、ＲＲＣメッセージに含まれる。このオプションは、ＲＲＣ手順の多くに対して使用され、今日では共通に使用される方法である。
【００１３】
予め定義された設定：完全な設定をシグナリングする代わりに、ＲＲＣメッセージは、ＵＥが既にシステム情報ブロック（ＳＩＢ）（例えばＳＩＢ１６）を介して取得している、１つの予め定義された設定の識別子を含む。
【００１４】
デフォルトの設定：完全な設定をシグナリングする代わりに、ＲＲＣメッセージは、３ＧＰＰにより２５．３３１において規定されるデフォルトの設定の１つに対する識別子を含む。デフォルトの設定は、回線交換（ＣＳ）無線ベアラおよびスタントアローンシグナリング無線ベアラに対して利用可能であるのみである。パケット交換（ＰＳ）ベアラに対するデフォルトの設定は存在しない。
【００１５】
上述した、予め定義された設定およびデフォルトの設定に関連する方法は、以下のＲＲＣメッセージに対して適用され得る。
・ＲＲＣ接続セットアップメッセージ
・ＵＴＲＡＮへのハンドオーバのコマンドメッセージ
・ＲＢ再設定メッセージ（メッセージが、ＧＳＭ  ＥＤＧＥ無線アクセスネットワーク（ＧＥＲＡＮ）ｌｕモードを介して送信される場合のみ）
【００１６】
完全なターゲットの設定をシグナリングする、上述した第１の方法の欠点は、例えば、特に劣悪な無線条件やセルの境界において、レイテンシが増えたり、保持性を削減することにより、レイテンシと保持性の両方に影響を与え得る多くのＲＲＣメッセージを生成することである。デルタの設定をシグナリングすることにより、ある程度メッセージのサイズは削減されるが、一方で、ＵＥにおける一貫性のない設定の結果として、呼の切断を引き起こす。予め定義された設定とデフォルトの設定をそれぞれ用いる、上述の第２の方法と第３の方法の欠点は、ユースケースの数がかなり限定されることである。例えば、ＲＲＣ接続セットアップ、および、到来するインター無線アクセス技術（ＩＲＡＩ）ハンドオーバにのみである。利用可能な設定の数もまた限定される。デフォルトの設定は、ＣＳベアラおよびスタンドアローンＳＲＢに対して特定され、ＰＳベアラに対しては使用することはできない。もしＵＴＲＡＮが、ＳＩＢ１６においてそれ自身の予め決められた設定を特定したとしても、ブロードキャストチャネルで送信する設定のサイズを削減するために、設定の数を限定しなければならない。大きなＳＩＢ１６は、全体のＳＩＢ取得時間に影響を与え、例えば呼のセットアップと呼の再選択のといった他のユースケースに対してレイテンシが増加する。予め定義された設定とデフォルトの設定の全体は、かなり柔軟性が無いとみられ、あまり使用されない。ＵＥでは、これらの方法において、限定されたサポートも存在する。
【００１７】
３ＧＰＰのリリース１３では、ＲＲＣシグナリングにおけるパラメータを記憶して再利用するための方法が、導入されている。この方法によれば、まず、特定の構成が適用され、ＵＴＲＡＮはＲＲＣメッセージをＵＥに送信する。例えば、ＵＴＲＡＮは無線ベアラ再設定メッセージを、新しいターゲットの設定を特定するパラメータのセットとともに送信する。設定パラメータに加えて、アイデンティティ（例えば数）がメッセージに含まれる。メッセージを受信すると、ＵＥは、パラメータの決められたセットの値を記憶し、設定を、該メッセージに含まれるアイデンティティに関連付ける。図１は、記憶された設定の概念を図示する。ここで、設定はときに、検索可能（ｒｅｔｒｉｅｖａｂｌｅ）な設定と参照される。図は、どのように、上述のＵＥ等の無線装置が、いくつかの設定を記憶するかを示す。ＵＥが、ある設定から別の設定に再設定された場合、ＵＥは、その設定に対して記憶されている全てのパラメータを有することから、ターゲットのアイデンティティだけががシグナリングされる必要がある。
【００１８】
次に、ＵＴＲＡＮは、同じ設定を使用することを望み、アイデンティティだけがメッセージに含まれる必要がある。ＵＴＲＡＮとＵＥは、ターゲットの設定を特定するパラメータ値を記憶する。これにより、この情報は再度送信される必要はない。この方法により、ＵＥに対して必要となるシグナリングの量が低減する。しかしながら、本方法の欠点は、検索可能な構成に対する概念を用いることにより、ＵＥ等の無線装置が記憶する必要のある設定の数が、実際に可能な数よりも大きくなることである。新しい設定を定義することはまた、現在使用されているソースの設定と比較してデルタの設定がＲＲＣメッセージに提供されるため、不必要なオーバーヘッドを追加し得る。
【発明の概要】
【００１９】
本実施形態の目的は、従来技術の上述した欠点の少なくともいくつかを解決し、無線通信ネットワークにおける性能を向上させることである。
【００２０】
本実施形態の１つの観点によれば、設定を修正するために、無線装置により実行される方法により、当該目的は達成される。無線装置は、無線通信ネットワークにおいて動作している。
【００２１】
無線装置は、第１のアイデンティティに関連付けられ、無線装置に格納されている設定の１つ以上のパラメータに関連する差異を含む、再設定メッセージを受信する。
【００２２】
無線装置は、当該差異に基づいて、記憶された設定の１つ以上のパラメータを修正し、修正により、結果の設定がもたらされる。
【００２３】
さらに、無線装置は、結果の設定を、第２のアイデンティティと共に保存する。
【００２４】
本実施形態の別の観点によれば、設定を修正するための無線装置により、目的は達成される。無線装置は、無線通信ネットワークにおいて動作可能である。
【００２５】
無線装置は、第１のアイデンティティと関連付けられ、無線装置において保存されている設定の１つ以上のパラメータに関連する差異を含む再設定メッセージを受信するように構成される。
【００２６】
更に、無線装置は、当該差異に基づいて、記憶された設定の１つ以上のパラメータを修正するように構成され、修正により、結果の設定がもたらされる。
【００２７】
更に、無線装置は、結果の設定を、第２のアイデンティティと共に保存するように構成される。
【００２８】
本実施形態の別の観点によれば、無線装置が設定を修正するのを支援するためにネットワークノードにより実行される方法により、目的は達成される。無線装置とネットワークノードは、無線通信ネットワークにおいて動作している。
【００２９】
ネットワークノードは、設定の１つ以上のパラメータの修正を決定する。当該修正は、無線装置により実行され、ここで、当該設定は、第１のアイデンティティに関連付けられ、無線装置において記憶されている。
【００３０】
ネットワークノードは、無線装置に対して、記憶された設定の１つ以上のパラメータの修正に関連する差異を含む再設定メッセージを送信する。
【００３１】
本実施形態の別の観点によれば、無線装置が設定を修正するのを支援するためのネットワークノードにより、目的は達成される。無線装置とネットワークノードは、無線通信ネットワークにおいて動作可能である。
【００３２】
ネットワークノードは、設定の１つ以上のパラメータの修正を決定する。当該修正は、無線装置により実行され、ここで、当該設定は、第１のアイデンティティに関連付けられ、無線装置において記憶されている。
【００３３】
更に、ネットワークノードは、無線装置に対して、記憶された設定の１つ以上のパラメータの修正に関連する差異を含む再設定メッセージを送信するように構成される。
【００３４】
本実施形態の別の観点によれば、目的は、命令を含むコンピュータプログラムにより達成される。当該命令は、少なくとも１つ以上のプロセッサにおいて実行された場合に、当該少なくとも１つのプロセッサに対して、無線装置において実行される方法を実施させる。
【００３５】
本実施形態の別の観点によれば、目的は、命令を含むコンピュータプログラムにより達成される。当該命令は、少なくとも１つ以上のプロセッサにおいて実行された場合に、当該少なくとも１つのプロセッサに対して、ネットワークノードにおいて実行される方法を実施させる。
【００３６】
本実施形態の別の観点によれば、目的は、コンピュータプログラムを含むキャリアにより達成される。当該キャリアは、電子信号、光信号、無線信号、または、コンピュータ読み取り可能な媒体のうちの１つである。
【００３７】
本実施形態では、無線装置は、設定の１つ以上のパラメータに関連する差異を含む再設定メッセージを受信し、当該差異に基づいて、記憶された設定の１つ以上のパラメータを修正し、結果の設定を記憶するように構成される。それにより、無線装置にあらかじめ記憶されている設定の数、および無線通信システムにおける設定のシグナリングを削減することが可能となる。結果として、設定のシグナリングにより生じる可能性のあるシグナリングオーバーヘッドが削減されるまたは除去されるため、無線通信システムにおける性能が向上する。
【００３８】
本実施形態の利点は、設定を修正する可能性により、無線装置において記憶する必要のある設定の数が限定され、それによりＵＥのメモリスペースを確保することである。いくつかの実施形態では、無線装置において記憶される新しい設定を定義する必要がある場合に、シグナリングオーバーヘッドを削減するためのメカニズムが提供される。
【００３９】
別の利点は、貴重な無線リソースの利用が削減されることである。
【図面の簡単な説明】
【００４０】
本実施形態の例は、添付の図面を参照してより詳細に説明される。
【図１】図１は、従来技術における、記憶された設定の概念を概略的に図示する。
【図２】図２は、通信ネットワークの実施形態を概略的に図示する。
【図３】図３は、設定を修正するための方法の実施形態を概略的に図示する。
【図４】図４ａ〜図４ｅは、実施形態におけるＲＲＣインタフェースにおける修正のオプションを概略的に図示する。
【図５】図５は、設定を修正するための方法の実施形態を概略的に図示する。
【図６】図６は、無線装置における方法の実施形態を概略的に図示するフローチャートである。
【図７】図７は、ネットワークノードにおける方法の実施形態を概略的に図示するフローチャートである。
【図８】図８は、無線装置の実施形態を概略的に図示するブロック図である。
【図９】図９は、ネットワークノードの実施形態を概略的に図示するブロック図である。
【発明を実施するための形態】
【００４１】
本実施形態を展開する一部として、従来の無線通信ネットワークの状態に関するいくつかの問題を最初に示し、議論する。
【００４２】
ＵＥ等の無線装置が切り替える設定の数は、ＵＥの能力、および、どのように通信ネットワーク（ＮＷ）が設定されるかに依存する。典型的には、無線装置は、状態：セル固有チャネル（ＣＥＬＬ＿ＤＣＨ）、フォワードアクセスチャネル（ＣＥＬＬ＿ＦＡＣＨ）およびＵＴＲＡＮ登録エリア（ＵＲＡ）ページングチャネル（ＵＲＡ＿ＰＣＨ）および／またはセルページングチャネル（ＣＥＬＬ＿ＰＣＨ）、において設定のセット間を切り替える。しかしながら、異なるセルにおいて利用可能な異なる接続能力が存在し得る。例えば、マルチキャリアおよび／またはシングルキャリア、進化型アップリンク（ＥＵＬ）２ｍｓ送信時間間隔（ＴＴＩ）および／またはＥＵＬ１０ｍｓＴＴＩ、高速ランダムアクセスチャネル（ＨＳ−ＲＡＣＨ）および／または高速フォワードアクセスチャネル（ＨＳ−ＦＡＣＨ）、レガシーＲＡＣＨおよび／またはレガシーＦＡＣＨ等である。上述の検索可能な設定に対する概念を用いることにより、無線装置が記憶する必要のある設定の数は、実際に可能な数よりも大きくなるというリスクがある。新しい設定を定義することはまた、現在使用されているソースの設定と比較してデルタの設定がＲＲＣメッセージに提供されるため、不必要なオーバーヘッドを追加し得る。
【００４３】
従来技術における１つ以上の欠点を解決するために、いくつかの実施形態は、記憶され得る１つまたはいくつかの新しい設定を定義するために、特定のアイデンティティに関連付けられた、すでに記憶された設定を修正するソリューション／手順に関連する。
【００４４】
したがって、本実施形態では、無線装置において記憶される設定を修正する可能性が提供される。更に、本実施形態により、修正を行う異なる方法が提案される。
【００４５】
いくつかの実施形態は、無線装置により実行される手順に関する。 無線装置は、例えば、ＲＮＮまたはネットワークノード等のＵＴＲＡＮから、ＲＲＣ再設定メッセージ等の再設定メッセージを受信する。更に、無線装置は、１つ以上の記憶した設定、またはその一部を修正する。無線装置は更に、修正した設定または新しい設定を記憶し得る。更に、無線装置は、ＲＲＣ再設定完了メッセージまたはＲＲＣ再設定失敗メッセージ等のＲＲＣ再設定応答メッセージを、ＵＴＲＡＮに対して送信する。
【００４６】
更に、ここに示すいくつかの実施形態は、ネットワークノードおよび／またはＲＮＮにより実行される等の、ＵＴＲＡＮにおいて実行される手順に関する。ＵＴＲＡＮは、設定パラメータのセットを、無線装置に対して送信する。更に、ＵＴＲＡＮは、１つ以上の設定を変更する必要があるか、または１つ以上の新しい設定を定義する必要があるかを決定し、ＲＲＣ再設定メッセージ等の再設定メッセージを、無線装置に対して送信する。更に、ＵＴＲＡＮは、無線装置から、ＲＲＣ再設定完了メッセージまたはＲＲＣ再設定失敗メッセージ等のＲＲＣ再設定応答メッセージを受信し得る。
【００４７】
更に、いくつかの実施形態は、ここに説明する１つ以上のアクションを実行するように構成された手段を有する無線装置とネットワークノードに関する。
【００４８】
本実施形態は、特徴を実現し、ここに説明するアクションを実行するように構成された一つ以上の他のモジュールを有する。
【００４９】
無線ネットワーク２００を図２に概略的に図示する。無線ネットワーク２００は、であるユニバーサルテレコミュニケーションシステム（ＵＭＴＳ）ネットワーク（例えばＵＴＲＡＮ）、ＬＴＥネットワーク、ＷＣＤＭＡネットワーク、ＧＳＭネットワーク、あらゆる３ＧＰＰネットワーク、Ｗｉｍａｘ、またはあらゆる他の無線通信ネットワークであり得る。
【００５０】
無線通信ネットワーク２００は、コアネットワーク２０２を含む。コアネットワーク２０２は、ＵＭＴＳコアネットワーク、ＬＴＥコアネットワーク、ＷＣＤＭＡコアネットワーク、ＧＳＭコアネットワーク、あらゆる３ＧＰＰセルラコアネットワーク、Ｗｉｍａｘコアネットワーク、またはあらゆる他の無線通信ネットワークまたはシステムのコアネットワークであり得る。
【００５１】
ネットワークノード２０４は、コアネットワーク２０２に含まれ得る、または、コアネットワーク２０２と通信するように配置され得る。ネットワークノード２０４は、ＵＭＴＳネットワークにおいて動作する無線ネットワークコントローラ（ＲＮＣ）であり得る。いくつかの実施形態では、ネットワークノード２０４は、基地局コントローラ（ＢＳＣ）、モバイルスイッチングセンター（ＭＳＣ）、メディアゲートウェイ（ＭＧｗ）、サービングＧＰＲＳサポートノード（ＳＧＳＮ）、またはモビリティマネージメントエンティティ（ＭＭＥ）である。更に、いくつかの実施形態では、ネットワークノード２０４は、基地局である。
【００５２】
無線ネットワークノード（ＲＮＮ）２０６は、無線通信ネットワーク１００において配置されて動作するように構成される。ＲＮＮ２０６は、無線装置２０８等の無線装置がＲＮＮ２０６によりサービスが提供される地理的エリア２０６ａ内に位置する場合に、無線装置との無線通信のために構成される。
【００５３】
ＲＮＮ２０６は、ｅＮＢ、ｅＮｏｄｅＢ、ホームＮｏｄｅＢ、ホームｅＮｏｄｅＢ、または、ユーザ装置に対してサービスを提供可能なあらゆる他のネットワークノード、または、無線通信ネットワーク２００等の無線通信ネットワークにおけるマシーンタイプの通信装置であり得る。ＲＮＮは更に、ネットワークノード２０４と通信可能に構成される。
【００５４】
無線装置２０８は、ここでは通信装置、ユーザ装置またはＵＥとも称され、無線通信ネットワーク２００において動作する。無線装置２０８は、例えば、ユーザ装置、移動端末または無線端末、携帯電話、ラップトップ、パーソナルデジタルアシスタント（ＰＤＡ）または単にタブレットとも称されるタブレットコンピュータ等の無線機能を有するコンピュータ、無線通信ネットワーク２００において無線リンクを介して通信可能なあらゆる他のネットワークユニット得あり得る。なお、本書類で使用されるユーザ装置という用語は、あらゆるユーザを有していないが、マシーン・ツー・マシーン（Ｍ２Ｍ）装置等の他の無線装置をカバーする。
【００５５】
このセクションでは、いくつかの例示的な実施形態により、より詳細に実施形態を説明する。これらの実施形態は互いに排他的ではないことに注意すべきである。一つの実施形態からの要素は、別の実施形態に暗黙に想定され得る。そして、それらの要素が、他の例示的な実施形態においてどのように用いられるかは、当業者にとって明らかであろう。
【００５６】
本実施形態は、ＵＭＴＳ技術のケースにおいて例示される。しかしながら、そのような実施形態は、例えば、大きいシグナリングのオーバーヘッドまたはＵＥのメモリ容量の問題を解決する必要がある、あらゆる他の技術に適用され得る。
【００５７】
図３は、記憶された設定を修正するための方法の実施形態を概略的に図示する。ここで使用される際には、設定という用語は、パラメータのセットおよびそれらの値を参照する。更に、設定は、１つ以上のＲＡＢパラメータ、１つ以上のＲＢパラメータ、１つ以上のトランスポートチャネルパラメータ、および／または１つ以上の物理チャネルパラメータを特定する。更に、設定は、無線装置２０８により適用されるマッピングを特定する。設定は、１つ以上のＲＲＣメッセージにおいてシグナリングされる。以下のアクションの１つ以上は、組み合わせられ得る、および／または、別の好適な順序で実施され得る。更に、１つ以上のアクションはオプション的である。
【００５８】
アクション３０１では、ＲＮＣ等のネットワークノード２０４は、設定のセットを伴い、無線装置２０８を設定する。セットは、１つ以上の設定を含み得る。１つ以上の設定は、異なる設定であり得る。例えば、１つ以上の設定は、互いに異なり得る。ネットワークノード２０４は、設定のセットを含む、設定メッセージまたは再設定メッセージ等の設定信号を送信することにより、無線装置２０８を設定する。これは、図６と図７のアクション６０１と７０１にそれぞれ関連し、以下に説明する。
【００５９】
アクション３０２では、ＲＮＣ等のネットワークノード２０４は、１つ以上の設定を変更する必要があるか、または１つ以上の新しい設定を定義する必要があるかを決定する。例えば、ネットワークノード２０４は、無線装置２０８における１つ以上のアクティビティに基づいて、当該決定を行い得る。例えば、無線装置２０８におけるアクティビティが増える、または、減ることに起因して、無線装置２０８が移動する、またはスループットが増加または減少する。これは、図７のアクション７０２に関連し、以下に説明する。
【００６０】
アクション３０３では、ＲＮＣ等のネットワークノード２０４は、無線装置２０８に対して、１つ以上の設定アイデンティティ、および、１つ以上の新しいパラメータ値等の１つ以上のパラメータ値を送信する。更に、ネットワークノード２０４は、１つ以上の設定パラメータ値の除去および／または変更に対する指示を送信する。指示は、設定アイデンティティ（ｉｄ）等の暗示的な指示、または変更することを示す特定のフラグ等の明示的な指示であり得る。これは、図６と図７のアクション６０２と７０３にそれぞれ関連し、以下により詳細に説明する。
【００６１】
アクション３０４では、無線装置２０８は、１つ以上の修正した設定、または、１つ以上の新しい設定を、同じアイデンティティまたは１つ以上の新しいアイデンティティと共に記憶する。これは、図６のアクション６０４に関連し、以下により詳細に説明する。
【００６２】
ここに説明するいくつかの実施形態の基本原理は、既に記憶されている設定を入力として用い、その入力された設定に対する差異等のデルタが、例えばＲＲＣメッセージにおいてシグナリングされ、それにより結果の設定を生成することである。デルタは、１つ以上のパラメータが新しい値を有する設定の１つ以上のパラメータを含む、および／または、関連する。デルタはときに、デルタ値として称される。更に、本開示では、「デルタ」、「デルタ値」、および「差異」の用語は、同じ意味に用いられる。記憶された設定の修正は、図４ａ〜図４ｅに概略的に図示するように、異なる方法でなされ得る。
【００６３】
先に述べたように、設定は、１つ以上のパラメータと、それらの値を含み得る。設定はまた、例えば、設定を識別するアイデンティティ（例えば、数または識別子のタイプ）を含む、または、関連付けられる。アイデンティティは、設定を識別するために使用され、また、記憶された設定を検索するためにも使用可能である。
【００６４】
入力された設定は、無線装置２０８があるアイデンティティと共に記憶される設定であり得る。しかしながら、無線装置２０８が現在使用している設定でもあり得る。
【００６５】
結果の設定は、入力された設定と同じアイデンティティを有する新しい設定であり得る。入力された設定は、デルタに応じて変更し得るが、同じアイデンティティを維持する（例えば、図４ａ）。図４ａに概略的に図示するように、ＲＲＣ再設定メッセージは、完全な（例えば全体の）記憶された設定またはその一部であり得る、または関連する、デルタ値を含む。ＲＲＣ再設定メッセージはまた、１つ以上の入力アイデンティティ（入力ＩＤ）および／または１つ以上の結果アイデンティティ（結果ＩＤ）を含み得る。しかしながら、図４ａにおいて、１つの入力アイデンティティと、１つの結果アイデンティティだけが示されている。図４ａに図示する実施形態において、入力ＩＤは、結果ＩＤと等しい。例えば、これは、アイデンティティ１を有する設定が、アイデンティティ１を有する別の設定に変更される場合のケースであり得る。
【００６６】
結果の設定は、入力された設定と異なるアイデンティティに関連付けられた設定でもあり得る。入力された設定は、前と同じアイデンティティとパラメータ値を有する設定として維持され得る。しかしながら、新しいアイデンティティを有する新しい設定は、入力された設定＋デルタに応じて作成され得る（例えば、図４ｂ）。図４ｂに概略的に図示するように、ＲＲＣ再設定メッセージは、完全な（例えば全体の）記憶された設定またはその一部であり得る、または関連する、デルタ値を含む。ＲＲＣ再設定メッセージはまた、入力ＩＤおよび／または結果ＩＤを含み得る。図４ｂに図示する実施形態において、入力ＩＤは、結果ＩＤと異なる。例えば、これは、アイデンティティ１を有する設定が、アイデンティティ４を有する別の設定に変更される場合のケースであり得る。
【００６７】
更なる向上のために、１つのＲＲＣメッセージにおいて１つ以上の設定を修正することも可能である。それは、１つのＲＲＣメッセージにおいて、複数の入力の設定と、複数の結果の設定をシグナリングすることを意味する。デルタはそして、全ての入力の設定に適用し、入力の設定に対して使用されたものと同じ、または異なるアイデンティティを有する結果の設定を生成する。また、どの結果の設定が、無線装置２０８が再設定の後に使用するターゲットの設定となるべきかをシグナリングする別の方法もあり得る（例えば図４ｃ）。したがって、１つの設定だけがメッセージにおいて提供される場合に、どの設定がターゲットの設定であるかをシグナリングする新しい方法となり得る。図４ｃに概略的に図示するように、ＲＲＣ再設定メッセージは、完全な（例えば全体の）記憶された設定またはその一部であり得る、または関連する、デルタ値を含む。ＲＲＣ再設定メッセージはまた、複数の入力ＩＤおよび／または複数の結果ＩＤを含み得る。図４ｃにおいて図示される実施形態において、ＲＲＣ再設定メッセージはまた、無線装置２０８が再設定の後に使用すべき設定を識別するターゲットのアイデンティティ（ターゲットＩＤ）を含む。例えば、これは、アイデンティティ１、２、３を有する設定が、アイデンティティ３、４、５を有する別の設定に変更される場合のケースであり得る。無線装置が、再設定の手順が完了する際に使用すべき設定は、例えば、設定４である。
【００６８】
シグナリングされるデルタは、設定を定義する全ての記憶されたパラメータを変更する完全変更、または、１つ以上のパラメータを変更する部分変更のいずれかであり得る。
【００６９】
記憶された設定を修正する際に、パラメータ値がデルタとしてシグナリングされていない場合、ＵＥ２０８は、このパラメータ値、すなわち、入力された設定のために既に記憶されているパラメータ値、の古いセッティングを維持すべきである。
【００７０】
無線装置２０８において記憶されている設定から、１つ以上の（例えば特定の）パラメータ値を除去することにより、設定の一部を非アクティブにすることも必要であり得る。これは、記憶された設定から、そのパラメータ値を除去する、および／または、非アクティブにするように、無線装置２０８に指示を明示的にシグナリングすることによりなされ得る（例えば、図４ｄと図４ｅ）。場合によっては、当該指示は、特定のパラメータが値を変更することを明示的に指示するためにも使用され得る。例えば、これは、アイデンティティ１、２、３を有する設定が、アイデンティティ４、５を有する別の設定に変更され、１つの設定が除去される場合のケースであり得る。無線装置が、再設定の手順の際に使用すべき設定は、例えば、設定５である。
【００７１】
図４ｄに概略的に図示するように、ＲＲＣ再設定メッセージは、完全な（例えば全体の）記憶された設定またはその一部であり得る、または関連する、デルタ値を含む。ＲＲＣ再設定メッセージはまた、入力ＩＤおよび／または結果ＩＤを含み得る。入力ＩＤは、結果ＩＤと等しい、または異なり得る。図４ｄに図示する実施形態において、ＲＲＣ再設定メッセージはまた、１つ以上の記憶された設定から１つ以上のパラメータを除去する、および／または、変更するための指示を含み得る。しかしながら、図４ｄにおいて、ＲＲＣ再設定メッセージは、１つの記憶された設定から１つ以上のパラメータを除去する、および／または、変更するための指示を含む。
【００７２】
図４ｅに概略的に図示するように、ＲＲＣ再設定メッセージは、完全な（例えば全体の）記憶された設定またはその一部であり得る、または関連する、デルタ値を含む。ＲＲＣ再設定メッセージはまた、複数の入力ＩＤおよび／または複数の結果ＩＤを含み得る。入力ＩＤは、結果ＩＤと等しい、または、異なり得る。図４ｄに図示する実施形態において、ＲＲＣ再設定メッセージはまた、１つ以上の記憶された設定から１つ以上のパラメータを除去する、および／または、変更するための指示を含み得る。図４ｅにおいて図示される実施形態において、ＲＲＣ再設定メッセージはまた、無線装置２０８が再設定の後に使用すべき設定を識別するターゲットのアイデンティティ（ターゲットＩＤ）を含む。
【００７３】
記憶された設定を修正するが、無線装置２０８のターゲットの設定を変更しないことも１つのオプションである。そして、再設定メッセージの結果として再設定すべきではないが、記憶された設定の修正のみ行うことを、無線装置２０８に指示する必要がある。すなわち、無線装置２０８は、１つ以上の設定を修正すべきであるが、使用している設定を変更すべきではない。
【００７４】
ここに説明するいくつかの実施形態の実装により、１つ以上の新しいＲＲＣメッセージ（例えば１つ以上の新しいＲＲＣ再設定メッセージ）が導入される、または、無線ベアラ再構成メッセージ等の１つ以上の現存のＲＲＣメッセージ（例えば１つ以上の現存のＲＲＣ再構成メッセージ）が修正される。図５には、シグナリングのスキームを概略的に図示される。ここで、通信ネットワーク２００（例えばＵＴＲＡＮ）は、基地局等のＲＮＮ２０６またはＲＮＣ等のネットワークノード２０４の手段により、ＲＲＣメッセージを無線装置２０８に対して送信する。ＲＲＣメッセージは、１つ以上のＵＥの設定の１つ以上のＵＥの設定の１つ以上の修正のオプションを含む。ここで、ＵＥの設定は、無線装置２０８において記憶され得る。ＲＲＣメッセージを受信すると、無線装置２０８は、ＵＥの設定の１つ以上（例えば１つ以上の記憶された設定）を変更する。変更が完了すると、無線装置２０８は、例えば、ＲＲＣメッセージ確認を通信ネットワーク２００に（例えばＲＮＮ２０６またはネットワークノード２０４）に対して送信することにより、通信ネットワーク２００（例えばＲＮＮ２０６またはネットワークノード２０４）に対して、完了について通知する。
【００７５】
ＲＲＣ再設定が、記憶された設定の修正と組み合わされ、無線装置２０８が、何らかの理由で修正または再設定を失敗する場合、新しいエラーの対応を導入する必要がある。そのような場合、無線装置２０８は、修正または再設定のいずれかが失敗し、異なるシナリオに対する適切なアクションを特定する必要があることを指示するオプションを有する必要がある。異なるシナリオの例は、異なる失敗のケースであり得る。そのような指示は、無線装置２０８から通信ネットワーク２００（例えばＲＮＮ２０６またはネットワークノード２０４）に対して送信されるＲＲＣ再設定応答メッセージに含まれ得る。
【００７６】
図６は、設定を修正するための無線装置２０８における方法を概略的に図示する。すなわち、図６は、設定を修正するための無線装置２０８により実行される方法を概略的に図示する。無線装置２０８は、無線通信ネットワーク２００において動作している。以下のアクションの１つ以上は、組み合わせられ得る、および／または、別の好適な順序で実施され得る。更に、１つ以上のアクションはオプション的である。例えば、図６における点線で示されるアクションは、オプション的であり得る。
【００７７】
［アクション６０１］
例えば無線装置２０８を設定するために、無線装置２０８は、通信ネットワーク２００から（例えばＲＮＮ２０６またはネットワークノード２０４から）設定パラメータのセットを受信する。先に述べたように、当該セットは、１つ以上の設定を含み得る。
【００７８】
設定パラメータのセットは、無線装置２０８により記憶される１つ以上の設定に関連し、各設定は、アイデンティティに関連付けられる。
【００７９】
本アクションは、先に説明したアクション３０１に関連する。
【００８０】
［アクション６０２］
無線装置２０８は、第１のアイデンティティと関連付けられ、無線装置２０８に記憶されている設定の１つ以上のパラメータに関連する差異を含む再設定メッセージを受信する。これは、無線装置２０８の設定を変更するためになされ得る。
【００８１】
当該差異は、結果のパラメータ値と入力のパラメータ値との間の差異であり得る。
【００８２】
いくつかの実施形態において、当該差異は、１つ以上の更に記憶されている設定の１つ以上のパラメータに関連する。
【００８３】
再設定メッセージ（例えばＲＲＣ再設定メッセージ）は、通信ネットワーク２００から（例えばＲＮＮ２０８またはネットワークノード２０４から）受信される。したがって、無線装置２０８は、無線通信ネットワーク２００において動作し得るネットワークノード２０４から、再設定メッセージを受信し得る。
【００８４】
いくつかの実施形態において、再設定メッセージは、修正の完了の後に無線装置２０７により使用される設定に関連付けられたターゲットのアイデンティティを含む。
【００８５】
本アクションは、先に説明したアクション３０３に関連する。
【００８６】
［アクション６０３］
無線装置２０８は、当該差異に基づいて、記憶された設定の１つ以上のパラメータを修正し、修正により、結果の設定がもたらされる。したがって、無線装置２０８は、１つ以上の記憶した設定、またはその一部を修正する。
【００８７】
記憶された設定は、無線装置２０８により使用されている設定であり得る。
【００８８】
いくつかの実施形態では、無線装置２０８は、当該差異に基づいて、記憶された設定の１つ以上のパラメータを非アクティブにすることにより、記憶された設定の１つ以上のパラメータを修正する。
【００８９】
無線装置２０８は、当該差異が関連するパラメータのみを修正し得る。
【００９０】
いくつかの実施形態では、当該差異は、１つ以上の更に記憶された設定の１つ以上のパラメータに関連し、無線装置２０８は、当該差異に基づいて、１つ以上の更に記憶された設定の１つ以上のパラメータを修正する。
【００９１】
［アクション６０４］
無線装置２０８は、結果の設定を第２のアイデンティティと共に記憶する。したがって、無線装置２０８は更に、修正した設定または新しい設定を記憶し得る。第２のアイデンティティは、第１のアイデンティティまたは新しいアイデンティティであり得る、またはそれに対応し得る。したがって、設定は、同じアイデンティティまたは新しいアイデンティティと共に記憶され得る。
【００９２】
本アクションは、先に説明したアクション３０４に関連する。
【００９３】
［アクション６０５］
無線装置２０８は、ＲＲＣ再設定応答メッセージ（例えば、ＲＲＣ再設定完了メッセージまたはＲＲＣ再設定失敗メッセージ）を、通信ネットワーク２００（例えば、ＲＮＮ２０６またはネットワークノード２０４）に送信する。
【００９４】
［アクション６０６］
いくつかの実施形態では、再設定メッセージは、修正の完了後に無線装置２０８により使用される設定に関連付けられたターゲットのアイデンティティを含み、無線装置２０８は、修正の完了後にターゲットのアイデンティティに関連付けられた設定を使用する（例えば、適用する、または、呼び出す）。
【００９５】
いくつかの実施形態では、ターゲットのアイデンティティは、無線装置２０８により既に使用されている設定に関連付けられるが、ターゲットのアイデンティティはまた、使用されている設定と異なる新しい設定に関連付けられる。そして、そのような実施形態において、無線装置２０８は、新しい設定と共に再設定される必要がある。
【００９６】
図７は、無線通信ネットワーク２００（例えば、ネットワークノード２０４またはＲＮＮ２０６）における、無線装置２０８が設定を修正するのを支援するための方法を概略的に図示する。すなわち、図７は、無線装置２０８が設定を修正するのを支援するためにネットワークノード２０４またはＲＮＮ２０６により実行される方法を概略的に図示する。以下の説明では、ネットワークノードにより実行される方法を参照するが、方法は、ＲＮＮ２０６により実行され得ることが理解されるべきである。
【００９７】
したがって、ネットワークノード２０４により実行される、無線装置２０８が設定を修正するのを支援するための方法を、図７を参照して説明する。無線装置２０８とネットワークノード２０４は、無線通信ネットワーク２００において動作している。
【００９８】
以下のアクションの１つ以上は、組み合わせられ得る、および／または、別の好適な順序で実施され得る。更に、１つ以上のアクションはオプション的である。例えば、図７における点線で示されるアクションは、オプション的であり得る。
【００９９】
［アクション７０１］
ネットワークノード２０４は、設定パラメータのセットを、無線装置２０８に送信する。パラメータのセットは、無線装置２０８により修正される１つ以上の設定に関連し、各設定は、それぞれのアイデンティティに関連付けられる。
【０１００】
先に述べたように、当該セットは、１つ以上の設定を含み得る。
【０１０１】
本アクションは、先に説明したアクション３０１に関連する。
【０１０２】
［アクション７０２］
ネットワークノード２０４は、設定の１つ以上のパラメータの修正を決定する。修正は、無線装置２０８により実行され、設定は、第１のアイデンティティに関連付けられ、無線装置２０８に記憶されている。したがって、ネットワークノード２０４は、１つ以上の設定を変更する必要があるか、または１つ以上の新しい設定を定義する必要があるかを決定する。
【０１０３】
記憶された設定は、無線装置２０８により使用されている設定であり得る。ネットワークノード２０４は、記憶された設定の１つ以上のパラメータを、１つ以上のパラメータを非アクティブにすることにより修正すると決定することにより、１つ以上のパラメータの修正を決定する。
【０１０４】
いくつかの実施形態では、ネットワークノード２０４は、無線装置２０８に記憶されている１つ以上の更なる設定の１つ以上のパラメータを修正すると決定することにより、１つ以上のパラメータの修正を決定する。
【０１０５】
本アクションは、先に説明したアクション３０２に関連する。
【０１０６】
［アクション７０３］
ネットワークノード２０４は、無線装置２０８に対して、記憶された設定の１つ以上のパラメータの修正に関連する差異を含む再設定メッセージを送信する。
【０１０７】
いくつかの実施形態では、ネットワークノード２０４は、再設定メッセージ（例えば、ＲＲＣ再設定メッセージ）を、無線装置２０８に送信する。
【０１０８】
当該差異は、結果のパラメータ値と入力のパラメータ値の間の差異であり得る。
【０１０９】
いくつかの実施形態において、当該差異は、１つ以上の更に記憶されている設定の１つ以上のパラメータに関連する。
【０１１０】
再設定メッセージは更に、修正の完了の後に無線装置２０８により使用される設定に関連付けられたターゲットのアイデンティティを含み得る。
【０１１１】
本アクションは、先に説明したアクション３０３に関連する。
【０１１２】
［アクション７０４］
ネットワークノード２０４は、無線装置２０８から、ＲＲＣ再設定応答メッセージ（例えば、ＲＲＣＲ再設定完了メッセージまたはＲＲＣ再設定失敗メッセージ）を受信する。
【０１１３】
図８と図９に概略的に図示するように、本実施形態は、本実施形態の機能およびアクションを実行するためのコンピュータプログラムコードと共に、無線装置２０８におけるプロセッサ８０５および通信ネットワーク２００（例えばネットワークノード２０４および／またはＲＮＮ２０６）におけるプロセッサ９０５等の１つ以上のプロセッサを介して実装され得る。プログラムコードは、セルラネットワークおよび／または非セルラネットワークの両方における、１つまたはいくつかのネットワークノード、および／または、通信装置（例えばＵＥおよび／またはＳＴＡ）において実装され得る。上述したプログラムコードはまた、コンピュータプログラム製品として提供され得る。例えば、ネットワークノードまたは通信装置にロードされた際に本実施形態を実行するためのプログラムコードを運ぶデータキャリアの形式である。１つのそのようなキャリアは、ＣＤ−ＲＯＭディスクの形式におけるものである。しかしながら、メモリスティックのような他のデータキャリアで実現可能である。コンピュータプログラムコードはさらに、サーバ上、または、ネットワークノードまたは通信装置にダウンロードされる純粋なプログラムとして提供され得る。
【０１１４】
通信ネットワーク２００（例えば、無線ネットワークノード２０６またはネットワークノード２０４）および無線装置２０８は更に、１つ以上のメモリユニットを含むそれぞれのメモリ８０４、９０４を有する。メモリは、ＲＡＮまたは通信装置において実行された場合に本方法を実行するために、取得した情報、記憶データ、構成、スケジューリングおよびアプリケーション等を格納するために配置される。
【０１１５】
通信ネットワーク２００（例えば、無線ネットワークノード２０６またはネットワークノード２０４）および無線装置２０８は更に、メッセージを送信し、メッセージを受信するように構成され、設定のセットを用いて通信装置を設定するように構成され、１つ以上の設定を変更する必要があるか、１つ以上の新しい設定が必要かを決定し、設定を修正する等のように構成された手段８００、８０１、８０２、８０３；９００、９０１、９０２、９０３を有する。そのような手段は、ここに説明するように、送信、受信、設定、修正、決定等に適合した、入力および／または出力インターフェース８００、９００、受信モジュール８０１、９０１、送信モジュール８０２、９０２、設定モジュール、修正モジュール８０３、決定モジュール９０３等により実現され得る。
【０１１６】
したがって、設定を修正するための方法を実行するために、無線装置２０８は図８に示す配置に応じて構成され得る。無線装置２０８は、無線通信ネットワーク２００において動作するように構成される。
【０１１７】
無線装置２０８は、通信ネットワーク２００で通信する（例えばネットワークノード２０４および／またはＲＮＮ２０６と通信する）ように構成された入力および／または出力インタフェース８００を有する。入力および／または出力インタフェース８００は、無線受信器（不図示）および無線送信器（不図示）を有する。
【０１１８】
無線装置２０８は、受信するように構成された受信モジュール８０１の手段により、再設定メッセージを受信するように構成される。
【０１１９】
受信モジュール８０１は、無線装置２０８のプロセッサにより実装される、または、無線装置２０８のプロセッサと通信するように構成される。プロセッサ８０５は、以下により詳細に説明する。
【０１２０】
再設定メッセージは、第１のアイデンティティに関連付けられ、無線装置２０８に記憶されている設定の１つ以上のパラメータに関連する差異を含む。
【０１２１】
当該差異は、結果のパラメータ値と入力のパラメータ値の間の差異であり得る。
【０１２２】
いくつかの実施形態において、当該差異は、１つ以上の更に記憶されている設定の１つ以上のパラメータに関連する。
【０１２３】
記憶された設定は、無線装置２０８により使用されている設定であり得る。
【０１２４】
いくつかの実施形態では、無線装置２０８は、無線通信ネットワーク２００において動作しているネットワークノード２０４から、再設定メッセージを受信するように構成される。
【０１２５】
無線装置２０８は、ネットワークノード２０４から、設定パラメータのセットを受信するように構成される。いくつかの実施形態では、設定パラメータのセットは、無線装置２０８により記憶される１つ以上の設定に関連し、各設定は、アイデンティティに関連付けられる。
【０１２６】
いくつかの実施形態において、再設定メッセージは更に、修正の完了の後に無線装置２０８により使用される設定に関連付けられたターゲットのアイデンティティを含む。そのような実施形態では、無線装置２０８は、修正の完了の後に、ターゲットのアイデンティティに関連付けられた設定を使用するように構成される。
【０１２７】
いくつかの実施形態では、無線装置２０８は、送信するように構成された送信モジュール８０２の手段により、応答メッセージをネットワークノード２０４へ送信するように構成される。
【０１２８】
送信モジュール８０２は、無線装置２０８のプロセッサ８０５により実装される、または、無線装置２０８のプロセッサ８０５と通信するように構成される。
【０１２９】
いくつかの実施形態では、無線装置２０８は、ＲＲＣ再設定応答メッセージ（例えば、ＲＲＣ再設定完了メッセージまたはＲＲＣ再設定失敗メッセージ）を送信するように構成される。
【０１３０】
無線装置２０８は、修正するように構成された修正モジュール８０３の手段により、設定のパラメータを修正するように構成される。
【０１３１】
修正モジュール８０３は、無線装置２０８のプロセッサ８０５により実装される、または、無線装置２０８のプロセッサ８０５と通信するように構成される。
【０１３２】
無線装置２０８は、当該差異に基づいて、記憶された設定の１つ以上のパラメータを修正するように構成され、修正により、結果の設定がもたさられる。
【０１３３】
いくつかの実施形態では、無線装置２０８は、当該差異に基づいて、記憶された設定の１つ以上のパラメータを非アクティブにすることにより、記憶された設定の１つ以上のパラメータを修正するように構成される。
【０１３４】
無線装置２０８は、当該差異が関連するパラメータのみを修正するように構成される。
【０１３５】
いくつかの実施形態では、当該差異は、１つ以上の更に記憶された設定の１つ以上のパラメータに関連し、無線装置２０８は、当該差異に基づいて、１つ以上の更に記憶された設定の１つ以上のパラメータを修正するように構成される。
【０１３６】
更に、無線装置２０８は、結果の設定を、第２のアイデンティティとともに、例えばメモリ８０４に記憶するように構成される。 第２のアイデンティティは、第１のアイデンティティまたは新しいアイデンティティであり得る。
【０１３７】
更に、無線装置２０８設定を修正するのを支援するための方法を実行するために、ネットワークノード２０４は図９に示す配置に応じて構成され得る。無線装置２０８とネットワークノード２０４は、無線通信ネットワーク２００において動作するように構成される。
【０１３８】
ネットワークノード２０４は、ネットワークノード２０４および／またはＲＮＮ２０６内で通信するように構成された入力および／または出力インタフェース９００を有する。入力および／または出力インタフェース９００は、無線受信器（不図示）および無線送信器（不図示）を有する。
【０１３９】
ネットワークノード２０４は、受信するように構成された受信モジュール９０１の手段により、再設定メッセージを受信するように構成される。
【０１４０】
受信モジュール９０１は、無線装置２０４のプロセッサ９０５により実装される、または、無線装置２０４のプロセッサ９０５と通信するように構成される。プロセッサ９０５は、以下により詳細に説明する。
【０１４１】
無線装置２０４は、送信するように構成された送信モジュール９０２の手段により、再設定メッセージを送信するように構成される。
【０１４２】
送信モジュール９０２は、無線装置２０４のプロセッサ９０５により実装される、または、無線装置２０４のプロセッサ９０５と通信するように構成される。
【０１４３】
ネットワークノード２０４は、無線装置２０８に対して、記憶された設定の１つ以上のパラメータの修正に関連する差異を含む再設定メッセージを送信するように構成される。
【０１４４】
当該差異は、結果のパラメータ値と入力のパラメータ値の間の差異であり得る。
【０１４５】
いくつかの実施形態において、当該差異は、１つ以上の更に記憶されている設定の１つ以上のパラメータに関連する。
【０１４６】
ネットワークノード２０４は、設定パラメータのセットを、無線装置２０８に送信するように構成される。これは、ネットワークノード２０４が無線装置２０８を設定する際のケースであり得る。
【０１４７】
設定パラメータのセットは、無線装置２０８により修正される１つ以上の設定に関連し、各設定は、それぞれのアイデンティティに関連付けられ得る。
【０１４８】
いくつかの実施形態において、再設定メッセージは、修正の完了の後に無線装置２０７により使用される設定に関連付けられたターゲットのアイデンティティを含む。
【０１４９】
ネットワークノード２０４は、決定するように構成された決定モジュール９０３の手段により、修正を決定するように構成される。
【０１５０】
決定モジュール９０３は、無線装置２０４のプロセッサ９０５により実装される、または、無線装置２０４のプロセッサ９０５と通信するように構成される。
【０１５１】
ネットワークノード２０４は、設定の１つ以上のパラメータの修正を決定するように構成される。当該修正は、無線装置２０８により実行され、ここで、当該設定は、第１のアイデンティティに関連付けられ、無線装置２０８において記憶されている。
【０１５２】
記憶された設定は、無線装置２０８により使用されている設定であり得る。
【０１５３】
いくつかの実施形態では、ネットワークノード２０４は、記憶された設定の１つ以上のパラメータは、１つ以上のパラメータを非アクティブにすることにより修正することを決定するように構成される。
【０１５４】
ネットワークノードは、無線装置２０８に記憶された１つ以上の更なる設定の１つ以上のパラメータを修する必要があることを決定するように構成され得る。これは、１つ以上の設定が修正される場合のケースであり得る。
【０１５５】
当業者はまた、本実施形態は、特徴と機能を実現し、説明したアクションを実行するための一つ以上のモジュールを有することを理解するだろう。モジュールは、アナログ回路およびデジタル回路の組み合わせ、および／または例えばメモリに格納されたソフトウェアおよび／またはファームウェアで構成された一つ以上のプロセッサを参照する。ここで、ＲＡＮにおけるプロセッサといった一つ以上のプロセッサにより実行された場合に、ネットワークノードと通信装置は、上述したように実行する。これらのプロセッサの一つ以上、並びに、他のデジタルハードウェアは、単一の特定用途向け集積回路（ＡＳＩＣ）に含まれ得る。または、いくつかのプロセッサおよび多様なデジタルハードウェアは、それぞれパッケージされているかシステムオンチップ（ＳｏＣ）にアセンブルされている、いくつかの分離したコンポーネントに分散され得る。
【０１５６】
「有する（ｃｏｍｐｒｉｓｅ）」または「有している（ｃｏｍｐｒｉｓｉｎｇ）」の語を使う場合は、非限定的に、すなわち、「少なくとも構成される（ｃｏｎｓｉｓｔ  ａｔ  ｌｅａｓｔ  ｏｆ）」という意味に解釈されるべきである。更に、「ａ」と「ａｎ」の語は、「単一の」要素であることが明示的に記載されていない限り、「少なくとも１つ」または「１つ以上」を参照するように理解されるべきである。
【０１５７】
本発明の実施形態は、上記に説明した好ましい実施形態に限定されない。多様な代替、修正、および等価物が使用され得る。
【図１】
0006450461.tif 000002
【図２】
0006450461.tif 000003
【図３】
0006450461.tif 000004
【図４】
0006450461.tif 000005
【図５】
0006450461.tif 000006
【図６】
0006450461.tif 000007
【図７】
0006450461.tif 000008
【図８】
0006450461.tif 000009
【図９】
0006450461.tif 000010